(57)【特許請求の範囲】
【請求項１】
ホルダ−１の先部に略湾曲状とされた両側一対の受片２が所定間隔をおいて並設され、該受片２間には外周縁に鋸歯状刃体６を備えた略半円形状の可動刃４が嵌合自在に軸着されると共に、該可動刃４には流体圧シリンダ８が接続されてなる廃材用切断装置であって、上記受片２に対向すべくその基端部に所要の角度をもって両側一対の被切断物掛止用掛止片１０が拡開状に配設されてなることを特徴とする、廃材用切断装置。
【請求項２】
受片２の基端部に各々固定掴持片３が起立形成されると共に、該固定掴持片３に対向すべく可動刃４の背部に掴持部７が形成されてなることを特徴とする、請求項１記載の廃材用切断装置。
【発明の詳細な説明】
【０００１】
【発明の属する技術分野】
本発明は、主として木製廃材などを切断せしめるさいに使用する廃材用切断装置に関する。
【０００２】
【従来の技術】
従来より、この種の廃材用切断装置としては、出願人が先に提案した廃材用切断装置（特願２００１−６７９０１号）が知られている。
そして、かかる廃材用切断装置は、ホルダ−の先部に略湾曲状とされた両側一対の受片が所定間隔をおいて並設され、該受片間には外周縁に鋸歯状刃体を備えた略半円形状の可動刃が嵌合自在に軸着されると共に、該可動刃には流体圧シリンダが接続された構成よりなり、両側の受片間に木製廃材などの被切断物を横架状に保持せしめつつ、流体圧シリンダの作動により可動刃を受片間に嵌合せしめつつ挽き切り状に切断せしめるものである。
【０００３】
【発明が解決しようとする課題】
ところで、上述のごとく構成された従来例は、両側の受片間に鋸歯状の可動刃を嵌合せしめて挽き切り状に切断せしめるものであるから、比較的粘性の大な被切断物を切断せしめる場合には切断部位を中心として略Ｖ字形状に折曲して跳ね上り、スム−ズな切断がしずらいものである。また、一度に切断することが出来ない大径状の被切断物を二度切りして切断、即ち、可動刃により所要の深さに初期切断せしめたのち可動刃を抜き去り、再度切断作動せしめて切断する場合においても、被切断物に喰い込んだ可動刃の引き抜きが非常に面倒で煩しく、ひいては、切断能率の低下を招来せしめるものである。
【０００４】
本発明は、かかる従来例の問題点を一挙に解決し、通常の被切断物のみならず、比較的粘性を有する被切断物、あるいは、一度に切断することが出来ない大径状の被切断物をも常に容易に、しかも、迅速、かつ確実に切断せしめることが出来る、廃材用切断装置を提供しようとするものである。
【０００５】
【課題を解決するための手段】
即ち、請求項１記載の発明は、ホルダ−１の先部に略湾曲状とされた両側一対の受片２が所定間隔をおいて並設され、該受片２間には外周縁に鋸歯状刃体６を備えた略半円形状の可動刃４が嵌合自在に軸着されると共に、該可動刃４には流体圧シリンダ８が接続されてなる廃材用切断装置であって、上記受片２に対向すべくその基端部には所要の角度をもって両側一対の被切断物掛止用掛止片１０が拡開状に配設されてなることを特徴とする、廃材用切断装置を要旨とするものである。
【０００６】
そして、請求項１記載の発明に係る廃材用切断装置は、特に比較的粘性を有する被切断物Ａを掛止片８に掛止支持せしめて跳ね上りを防止せしめ、また、一度に切断することが出来ない被切断物Ａを掛止片１０に掛止支持せしめつつ初期切断時の可動刃４を容易に抜き去ることが出来るものであって、常に被切断物Ａの性状や大小を問わずスム−ズに、しかも、迅速かつ確実に切断せしめることが出来る。
【０００７】
請求項２記載の発明は、受片２の基端部に各々固定掴持片３が起立形成されると共に、該固定掴持片３に対向すべく可動刃４の背部に掴持部７が形成されてなることを特徴とする、請求項１記載の廃材用切断装置を要旨とするものである。
【０００８】
そして、請求項２記載の発明に係る廃材用切断装置は、流体圧シリンダ８の作動により可動刃４を介して掴持部７を固定掴持片３方向に可動せしめ、固定掴持片３との間に所要の被切断物Ａやその切断片などを掴持して移動せしめることが出来る。
【０００９】
【発明の実施の形態】
以下に、本発明の実施の形態を図面に示す一実施例に基づいて説明する。
図１乃至図４は本発明の一実施例を示すもので、同図中、１は後記するパワ−ショベル１４の多関節ア−ム１５に取付け自在とされたホルダ−、２は該ホルダ−１の先部に所定間隔をおいて並列状に取付けられた両側一対の湾曲状受片、３は該両側の受片２に各々対向すべくその基端がわに一体に起立形成された湾曲状の固定掴持片である。４は両側受片２の中間部位に軸５を介して嵌合自在に軸着された略半円形状の可動刃、６は該可動刃４の外周縁に沿って所定ピッチ毎に形成された鋸歯状の刃体、７は前記固定掴持片３に対向すべく該可動刃４の背部に切欠き形成された湾曲状の掴持部、８は可動刃４を可動せしめるべくその背部下端に取付け部材９を介して接続された油圧シリンダで、該油圧シリンダ８の基端部は受片２の基端部に枢着されている。１０は前記両側の受片２に各々対応すべくその基端部に若干揺動自在に軸着された両側一対の被切断物掛止用掛止片で、該各掛止片１０は受片２との間に所要径の被切断物Ａを掛止支持せしめるべく受片２に対して所要の角度をもって拡開状に設定せしめられている。１１は上記掛止片１０に掛止して可動刃４の回動を制御せしめるべくその背部に突設された上死点用ストッパ−ピン、１２は同基端部にフランジ１３を介して突設された下死点用ストッパ−ピンである。その他、１４はパワ−ショベル、１５は該パワ−ショベル１４を構成する旋回・屈曲自在な多関節ア−ムである。
【００１０】
上述のごとく構成された切断装置は、図３に示すように、パワ−ショベル１４の多関節ア−ム１５先部に所要の取付け部材を介して取付け、所要の被切断物Ａを切断せしめる。
即ち、図４に示すように、油圧シリンダ８の作動により軸５を中心として可動刃４を開作動せしめ、両側の受片２間に被切断物Ａを横架状に支持せしめる。しかるのち、油圧シリンダ８の作動により可動刃４を閉作動せしめつつ両側の受片２間に嵌合せしめ、鋸刃状刃体６を被切断物Ａに食込まてその逃げを防止せしめつつ切断せしめる。
そして、例えば、比較的粘性を有する被切断物Ａを切断せしめるさいに、その切断部位を中心として略Ｖ字形状に折曲して跳ね上ったさいには両側の掛止片１０に掛止支持せしめつつスム−ズに、しかも、迅速かつ確実に切断せしめることが出来る。また、一度に切断することが出来ない大径状の被切断物Ａを二度切りして切断せしめるさいにおいても、被切断物Ａを掛止片１０に掛止支持せしめつつ初期切断時の可動刃４を容易に抜き去り、再度切断作動せしめて容易に、しかも、迅速かつ確実に切断せしめることが出来るものである。
【００１１】
また、上述のごとく構成された切断装置は、被切断物Ａの切断のみならず、被切断物Ａやその切断片などを掴持せしめて移動せしめることが出来る。
即ち、図４に示すように、流体圧シリンダ８の作動により軸５を中心として可動刃４を閉作動せしめることにより掴持部７と固定掴持片３との間を拡開せしめる。しかるのち、被切断物Ａやその切断片などに固定掴持片３を当てがいつつ、油圧シリンダ８の作動により可動刃４を開作動せしめることにより掴持部７と固定掴持片３との間に掴持せしめ、所要の場所に移動せしめるものである。
【００１２】
なお、上記実施例において、可動刃４は油圧シリンダ８により作動せしめるものとされているが、これに限定されるものでなく、エアシリンダなどの流体圧シリンダを採択してもよいものである。
【００１３】
【発明の効果】
請求項１記載の発明は上述のように構成されているから、通常の被切断物Ａのみならず、比較的粘性を有する被切断物Ａを掛止片８に掛止支持せしめて跳ね上りを防止せしめ、また、一度に切断することが出来ない被切断物Ａを掛止片１０に掛止支持せしめつつ初期切断時の可動刃４を容易に抜き去ることが出来るものであって、常に被切断物Ａの性状や大小を問わずスム−ズに、しかも、迅速かつ確実に切断せしめることが出来るものである。
【００１４】
請求項２記載の発明は上述のように構成されているから、流体圧シリンダ８の作動により可動刃４を介して掴持部７を固定掴持片３方向に可動せしめ、固定掴持片３との間に所要の被切断物Ａやその切断片などを掴持せしめて所要の場所に移動せしめることが出来るものである。
【図面の簡単な説明】
【図１】本発明の一実施例を示す斜視図である。
【図２】図１の平面図である。
【図３】実施例をパワ−ショベル１４に取付けた状態を示す側面図である。
【図４】実施例の使用状態を示す断面図である。
【符号の説明】
１    ホルダ−
２    受片
３    固定掴持片
４    可動刃
６    刃体
７    掴持部
８    油圧シリンダ
１０  掛止片
Ａ    被切断物
【図１】
0003593514.tif 000002
【図２】
0003593514.tif 000003
【図３】
0003593514.tif 000004
【図４】
0003593514.tif 000005